(57)【特許請求の範囲】
【請求項１】
水平な設置部と該設置部の中央部を突出させた突出部と、該突出部の一方の側片にはヒーターを設置し、他方の側片には太陽電池を設置し、太陽電池によって発電した電力によりヒーターを発熱させて融雪することを特徴とする融雪・雪止装置。
【発明の詳細な説明】
【０００１】
【発明の属する技術分野】
本発明は、建築物、構築物の屋根上に設置して、雪止めと融雪の両方の機能を兼ね備えた融雪・雪止装置に関するものである。
【０００２】
【従来の技術】
従来、単に雪止装置としては、金属板を所定形状に成形したものや、アングル材等の鋼材を利用して屋根上に取り付けたもの等多数上市されている。また、融雪装置としては、屋根下に温水パイプを配管して融雪するものや、ヒーターを敷設して、電気的抵抗を利用して発熱させ融雪を行う装置等が一般的である。
【０００３】
【発明が解決しようとする課題】
しかしながら、これら従来の装置の目的は雪止、もしくは融雪のどちらか一方のみであり、両方を解決する装置は存在しなかった。また、融雪には温水や電気的抵抗による発熱を利用するものがほとんどであり、エネルギーコストの係るものであった。
【０００４】
【課題を解決するための手段】
本発明はこのような課題を解決するために、設置部の中央部を突出させた突出部と、突出部の一方の側片にはヒーターを設置し、他方の側片には太陽電池を設置し、太陽電池によって発電した電力によりヒーターを発熱させて融雪する融雪・雪止装置としたので、一つの装置で雪止めの機能と融雪の機能を兼用することができ、コンパクトな装置となると共に、融雪のためのエネルギーとして太陽電池による発電力を利用することにより、融雪エネルギーの省力化も図れる融雪・雪止装置を提案するものである。
【０００５】
【発明の実施の形態】
以下に図面を用いて、本発明に係る融雪・雪止装置について詳細に説明する。図１（ａ）は融雪・雪止装置Ａの代表例を示す一部切り欠き斜視図であり、図１（ｂ）は図１（ａ）のイ−イ線断面図に相当する説明図である。
【０００６】
すなわち、融雪・雪止装置Ａは、水平な設置部１と設置部１の中央部を略断面三角形状に突出させた突出部２とからなる本体部Ｂと、突出部２の一方の側片３にはヒーターＣを設置し、他方の側片４には太陽電池Ｄを設置して一体に形成した長尺状、もしくは短尺状の装置である。
【０００７】
本体部Ｂは金属板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、（勿論、これらを各種色調に塗装したカラー板を含む）の一種や、プラスチック薄板、ＦＲＰ、塩化ビニル、ポリカーボネイト等の合成樹脂板から所定形状に形成したものである。
【０００８】
また、本体部Ｂの設置部１は、例えば図２の使用状態を示す説明図に示すように、融雪・雪止装置Ａを屋根α上に設置する際に、固定具や固定金具等の任意の固定手段を用いて固定する部分である。
【０００９】
突出部２によって形成された側片３は、後記するヒーターＣを一体に固着する部分であると共に、図２に示すように、雪βを受けとめる雪止めとしての機能を有するものである。また、もう一方の側片４は、後記する太陽電池Ｄを一体に固着する部分である。なお、本体部２の木口面には防水性の強化のため木口蓋５を形成したものである。
【００１０】
ヒーターＣは例えば、電気的抵抗を利用して発熱する各種面状発熱シート等が耐候性や柔軟性、軽量性、強度もあり好ましいものである。
【００１１】
太陽電池Ｄは、例えば一般的に知られている単結晶型、多結晶型、アモルファス型等から任意に選択した太陽電池を枠体等に装着したものや耐候性シートでラミネートしたものである。
【００１２】
さらに、図１（ｂ）に示すように、本体部２の内部において、太陽電池Ｄにて発電された電力を、ヒーターに通電させるためにリード線６を介して両者を接続するものである。
【００１３】
図２は本発明に係る融雪・雪止装置Ａの使用状態を示す説明図である。すなわち、屋根αの棟側にヒーターＣが、軒側に太陽電池Ｄがくるように融雪・雪止装置Ａを設置するものである。こうすることにより、屋根α上に積もった雪βは本体部Ｂの側片３で受け止められ、ヒーターＣの発熱により順次融雪されるものである。なお、突出部２を形成したことにより、太陽電池Ｄ上には雪βが積もりにくく、矢印で示す太陽光の受光に対して障害になりにくいものであり、太陽光発電が阻害無く行われるものである。
【００１４】
以上説明したのは、本発明に係る融雪・雪止装置Ａの一実施例であり、図３〜図６に示すような融雪・雪止装置Ａとすることもできる。
【００１５】
すなわち、図３に模式的に示す融雪・雪止装置Ａは、ヒーターＣと太陽電池Ｄとを接続するリード線６の間に、充電コントローラー７、とバッテリー８とを接続した例を示すものであり、太陽光不足により、ヒーターＣを加温する電力が足りない場合は、バッテリー８から電力を補って融雪を行ったり、太陽電池Ｄにて余剰電力が生じた際は、バッテリー８に蓄電（充電）したりできる装置である。
【００１６】
また、図４に模式的に示す融雪・雪止装置Ａは、ヒータＣと太陽電池Ｄとを接続するリード線６の間に、充電コントローラー７、とインバーター／コンバーター９、交流電源１０とを接続した例を示すものであり、太陽光不足により、ヒーターＣを加温する電力が足りない場合は、例えば家庭用の１００Ｖ電源を使用することができる装置である。
【００１７】
なお、これらの充電コントローラー７、バッテリー８、インバーター／コンバーター９は本体部２の内部に設置したり、もしくは、屋根αを介して屋内・外に設置することも可能である。
【００１８】
図５（ａ）はヒーターＣを側片３の内側、本体部Ｂの内部に設置した例、図５（ｂ）は側片３の内側に断熱層１１を形成し、ヒーターＣの熱を融雪のために有効に利用できる例、図５（ｃ）は断熱層１１を側片３および側片４の内部にも形成した例、図５（ｄ）は設置部１の裏面に防水性のパッキング材１２を形成した融雪・雪止装置Ａの例である。また、図６（ａ）〜（ｄ）は本体部Ｂの形状を各々変形した融雪・雪止装置Ａの例を示すものである。
【００１９】
【発明の効果】
以上説明したように、本発明に係る融雪・雪止装置によれば、突出部の一方の側片にはヒーターを設置し、他方の側片には太陽電池を設置し、太陽電池によって発電した電力によりヒーターを発熱させて融雪する融雪・雪止装置としたので、▲１▼一つの装置で雪止めの機能と融雪の機能を兼用することができ、コンパクトな装置となる。▲２▼融雪のためのエネルギーとして太陽電池による発電力を利用することにより、ランニングコストと融雪エネルギーの省力化も図れる。等の特徴、効果がある。
【図面の簡単な説明】
【図１】本発明に係る融雪・雪止装置の代表例を示す説明図である。
【図２】融雪・雪止装置の使用例を示す説明図である。
【図３】本発明に係る融雪・雪止装置のその他の例を示す説明図である。
【図４】本発明に係る融雪・雪止装置のその他の例を示す説明図である。
【図５】本発明に係る融雪・雪止装置のその他の例を示す説明図である。
【図６】本発明に係る融雪・雪止装置のその他の例を示す説明図である。
【符号の説明】
Ａ  融雪・雪止装置
Ｂ  本体部
Ｃ  ヒーター
Ｄ  太陽電池
α  屋根
β  雪
１  設置部
２  突出部
３  側片
４  側片
５  木口蓋
６  リード線
７  充電コントローラー
８  バッテリー
９  インバーター／コンバーター
１０  交流電源
１１  断熱層
１２  パッキング材
【図１】
0004059461.tif 000002
【図２】
0004059461.tif 000003
【図３】
0004059461.tif 000004
【図４】
0004059461.tif 000005
【図５】
0004059461.tif 000006
【図６】
0004059461.tif 000007